(57)【要約】【課題】複数の葉の図画片を結合して連続図を形成することを特徴とするカレンダーを提供する。【解決手段】複数の葉からなるカレンダーであって、該葉は、図画片と、日付欄とを備え、前記葉を連結することにより、一体化した連続図を形成する。【選択図】図２
0003171050.tif 000002
【実用新案登録請求の範囲】
【請求項１】
複数の葉からなる、連結型カレンダーであって、
前記葉は、少なくとも図画片を備え、
前記複数の葉をそれぞれ連結することにより、前記図画片が一体化して連続図を形成することを特徴とする、
連結型カレンダー。
【請求項２】
前記葉を、縦方向又は横方向、若しくは縦横方向に連結可能に構成してあることを特徴とする、請求項１に記載の連結型カレンダー。
【請求項３】
前記複数の葉のうち少なくとも一部の葉に設けてある日付欄が、前記複数の葉の連結時に連続するよう構成してあることを特徴とする、請求項１又は２に記載の連結型カレンダー。
【請求項４】
前記葉に、他方の葉を重ね合わせて連結する為のラップ部を設けておき、連結側の葉のラップ部に位置する図画片を、非連結側の葉のラップ部に位置する図画片と異なる図画としたことを特徴とする、請求項１乃至３のうち何れか１項に記載の連結型カレンダー。
【請求項５】
前記複数の葉を、各葉の端部に設けた雄雌のスリットを介して連結、或いは各葉の端部に設けた接着部を介して連結することを特徴とする、請求項１乃至４のうち何れか１項に記載の連結柄カレンダー。
【考案の詳細な説明】
【技術分野】
【０００１】
本考案は、複数の葉からなるカレンダーに関するものである。
【背景技術】
【０００２】
本願出願人はカレンダーに関する発明として、以前、特開２００９−６６７０号公報に記載の発明を提案している。
前記発明は、カレンダーを構成する複数の葉同士の関係において、日付の並び順を断絶させることなく、数カ月分の日付が順に連続して表示可能なカレンダーに関するものである。
【０００３】
前記発明によれば、各葉を連結することで、複数月を一度に閲覧可能なカレンダーを作成できる、という特徴を備えている。
【先行技術文献】
【特許文献】
【０００４】
【特許文献１】特開２００９−６６７０号公報
【考案の概要】
【考案が解決しようとする課題】
【０００５】
ちなみに、従来のカレンダーには、前記発明によって得られる効果だけでなく、更に以下に示すような改良が望まれている。
（１）カレンダーは、スケジュール管理のための日付表示機能という本質的機能のみに限られず、自らの趣味嗜好に合った写真、絵画又はイラストなど（以下、単に「図画」という）を飾るという鑑賞品としての機能をも兼ね備えている。
しかし、月送り型のカレンダーなどは、月ごとに異なる図画を採用することで、月変わりで新たな図画を鑑賞するという形式・手法が長年用いられており、斬新な使用方法を備えるカレンダーが依然として提案されていない。
【課題を解決するための手段】
【０００６】
前記の問題を解決すべくなされた本願の第１考案は、複数の葉からなる、連結型カレンダーであって、前記葉は、少なくとも図画片を備え、前記複数の葉をそれぞれ連結することにより、前記図画片が一体化して連続図を形成することを特徴とする、連結型カレンダーを提供するものである。
【０００７】
また、本願の第２考案は、前記考案において、前記葉を、縦方向又は横方向、若しくは縦横方向に連結可能に構成してあることを特徴とするものである。
【０００８】
また、本願の第３考案は、前記考案において、前記複数の葉のうち少なくとも一部の葉に設けてある日付欄が、前記複数の葉の連結時に連続するよう構成してあることを特徴とするものである。
【０００９】
また、本願の第４考案は、前記考案において、前記葉に、他方の葉を重ね合わせて連結する為のラップ部を設けておき、連結側の葉のラップ部に位置する図画片を、非連結側の葉のラップ部に位置する図画片と異なる図画としたことを特徴とするものである。
【００１０】
また、本願の第５考案は、前記考案において、前記複数の葉を、各葉の端部に設けた雄雌のスリットを介して連結、或いは各葉の端部に設けた接着部を介して連結することを特徴とするものである。
【考案の効果】
【００１１】
（１）カレンダーを構成する一枚の葉では表現し得ない、一つの大きな連続図を掲示することができ、斬新なカレンダーを提案できる。
（２）月日の経過に伴って次第に図画が完成されて行く過程を楽しむことができるため、娯楽性に富む。
（３）図画の完成によって使用者が達成感を得ることができる。
（４）図画の構築過程（進捗状況）を、使用者の行動の新たな動機付けとして活用することができる。
（５）使用済みの葉に新たな利用価値を付与することができ、廃棄以外の途を残す点で環境性に優れる。
（６）葉を縦横自在に連結させることで、縦横幅の様々な図画を掲載することが可能となり、デザインのバリエーションが拡がる。
（７）図画だけでなく、日付をも連続させることで、高いデザイン性を維持しつつ、本来の日付表示機能と、斬新な鑑賞機能とを両立したカレンダーを提供することができる。
（８）連結側の葉のラップ部に位置する図画片を、被連結側の葉のラップ部に位置する図画片と異なる図画としておくことで、図画に変化が生まれ、連結過程の娯楽性が向上する。
【図面の簡単な説明】
【００１２】
【図１】本考案の第１実施例にかかる連結型カレンダーの斜視図。
【図２】本考案の第１実施例にかかる連結方式の概念図。
【図３】本考案の第１実施例にかかる連結型カレンダーの完成図。
【図４】本考案の第２実施例にかかる連結型カレンダーの斜視図。
【図５】本考案の第３実施例にかかる連結型カレンダーの完成図。
【図６】本考案の第４実施例にかかる連結型カレンダーの概念図。
【考案を実施するための形態】
【００１３】
以下図面を参照しながら本考案の実施の形態について説明する。
【実施例１】
【００１４】
＜１＞全体構成
第１実施例に係るカレンダーを図１〜３を参照しながら説明する。
本実施例に係るカレンダーは、１つの葉を１カ月分とし、１２葉で１年分とした、一般的な構成のカレンダーである。
カレンダーは、時間的に現在に近い方が前面に来るようにして１月の葉１ａから１２月の葉１ｌまで順番に重ねて１年分を１組とする。
【００１５】
なお、必ずしも一葉を１カ月にする必要はなく、用途やデザインに応じて一葉に複数月分の日付を掲載してもよく、また１カ月に満たない日付を掲載しても良い。またカレンダーの掲載の範囲が１年である必要もない。
【００１６】
また、カレンダーの最前面にはカレンダー本紙とは別に、表紙などの葉１を追加した態様としてもよい。
【００１７】
＜２＞葉
葉１は、少なくとも図画片１１を備え、その他適宜日付欄１２を備える。
カレンダーの表紙には、日付欄１２が含まれない場合もある。
図画片１１と日付欄１２の配置位置は特段限定されるものではない。
【００１８】
＜２．１＞図画片
図画片１１は、該図画片１１を複数組み合わされることによって、一つの連続図Ａを構成するための分割片である。
連続図Ａには、写真、絵画又はイラスト、その他鑑賞の対象となるものであれば、如何なるものでもよい。
【００１９】
＜２．２＞日付欄
日付欄１２は、日付表示機能を発揮するための箇所である。
日付欄１２での日付の並び順は、後述する各葉１の連結態様に応じて、適宜決定すればよい。
なお、図１では、使用済みの各葉１を下に順次スライドしながら連結することを想定するものであるため、各葉１の日付欄１２は下から上へと順に表示する態様としており、当該態様でもって各葉を連結すれば、各月間において日付が順番に連続する態様となる。
【００２０】
＜３＞使用方法
次に、本実施例に係るカレンダーの連結方法を図１，２を参照しながら説明する。
【００２１】
（ａ）初期状態
前記の通り、本実施例に係るカレンダーは、初期状態において、１月の葉１Ａを最前面とし、１２月の葉まで順に積層した構成を呈する。
なお、前記カレンダーは、各葉１の上端を綴じておき、月日の経過と共に破りとる形にしてもよいし、各葉１が分離した状態で適宜めくるような形とするなど、公知の形式を採用できる。
【００２２】
（ｂ）連結過程
本実施例のカレンダーでは、一月経過に併せて最前面の葉１ａを取り外し、取り外した葉を残る前面の葉１ｂの下端に連結していく。
この時、正面視的には、二月分のカレンダーが上下に連結した状態となっている。
さらに、一月経過した場合には、既に連結してある二月分の葉を、カレンダーから一体化した状態のまま取り外し、次の前面の葉に連結する。
このようにして、上下に連結した葉１が延長していくこととなる。
【００２３】
［連結例］
前記した各葉１の連結態様は種々の方法を採用することができる。
図２は、各葉の連結方法の一例を示す図である。
図２では、各葉１の下部左右両端にスリット１３を配置し、各葉の上部左右両端に差込部１４と接続可能に構成している。
その他の連結例としては、剥取が容易な弱粘着性の接着剤、例えば剥離紙付きの接着剤などを塗布するなど、新しい月の葉の下部と古い月の葉の上部とを接続でき、下に連結した葉の重量に耐えられるものであれば良く種々の連結方法が採用できる。
また、壁にカレンダーを掛けている場合には、葉１同士を直接連結せずに、各葉１同士を隣接配置し、それぞれを画鋲やピン等でもって壁に別途固定してもよい。
【００２４】
（ｃ）完成状態
図３は、図画完成後のカレンダーの態様を示す図である。
前記連結過程（ｂ）を繰り返すことにより、１２片に分割した図画片１１が上下に順位連結されて、最終的に縦長の連続図Ａが完成することになる。
【実施例２】
【００２５】
本考案の第２実施例について、図４を参照しながら説明する。
本考案は、複数の葉を横方向に連結した構成としてもよい。
本実施例では、複数の葉１を横に組み合わせて１枚の連続図Ａを形成している。
連結方法等の態様は、前記の実施例と同様であるため、詳細な説明を省略する。
このとき、前記実施例のように縦に連結するものではないため、壁掛型ではなく、机上型、立掛け型として構成する等の応用が可能である。
本実施例では、机上型として葉１の背後に支脚１５等を配設することで平面上に立てることが可能となる。
本実施例によれば、横方向に長い図画を対象としたカレンダーを提供することができる。
【実施例３】
【００２６】
本考案の第３実施例について、図５を参照しながら説明する。
本考案は、複数の葉を縦横方向に組み合わせて連結した構成としてもよい。
連結方法等の態様は、前記の実施例と同様であるため、詳細な説明を省略する。
本実施例によれば、縦横比の様々な図画を対象としたカレンダーを提供することができるだけでなく、三角型或いはその他の多角型にカレンダーを連結するなど、様々な全体形状を呈するカレンダーを提供することができる。
【実施例４】
【００２７】
本考案の第４実施例について、図６を参照しながら説明する。
本考案は、葉に、他方の葉を重ね合わせて連結する為のラップ部を設けておき、連結側の葉のラップ部に位置する図画片を、被連結側の葉のラップ部に位置する図画片と異なる図画とした構成としてもよい。
例えば、図６を参照すると、１月分の葉１ａの図画片のうち、葉の上部に設けたラップ部１５に位置する箇所は、建設中のタワー天端を表示しておく。そして、２月分の葉１ｂを、１月分の葉１ａのラップ部１５に重ねるように連結する。このとき、２月分の葉１ｂの図画片のうち、葉の下部に設けたラップ部１６に位置する箇所には、前記１月分の葉１ａの上部に設けたラップ部１５に表示した図画と異なる、建設済みの状態の図画を表示しておく。
【００２８】
このような構成とすれば、図画片１１に表示してあるタワーの建設があたかも月の経過に応じて進行しているような感覚が得られるため、単に全ての葉が連結された後の連続図Ａの完成を目的とするだけではなく、連結途上での絵にも意味合いを生じさせることができるため、使用者の関心を誘引し続けることが可能なカレンダーを提供することができる。
【００２９】
なお、このとき、各葉のラップ部に位置する日付欄１２を、各葉の連結側と被連結側とで同一のものとしておけば、連結後においても、各葉の間で日付が連続的に表示されるため、視認性にも優れたカレンダーを提供することができる。
【符号の説明】
【００３０】
１          葉
１１        図画片
１２        日付欄
１３        スリット
１４        差込部
１５        支脚
１６、１７  ラップ部
Ａ          連続図
【図１】
0003171050.tif 000003
【図２】
0003171050.tif 000004
【図３】
0003171050.tif 000005
【図４】
0003171050.tif 000006
【図５】
0003171050.tif 000007
【図６】
0003171050.tif 000008